(57)【要約】【課題】回路基板に対する接続部分に悪影響が及ぶのを防ぐ。【解決手段】ハウジング１０には、回路基板Ｋに電気的に接続される端子金具３０と、回路基板Ｋに半田付けにより固定される半田付け部４２を備える固定部品４０とが装着されている。固定部品４０は、ハウジング１０の装着部１６に上方から押し込まれて装着され、所定深さに達すると、装着部１６の段部２０ａに突き当てられることでそれ以上の押し込みが規制される。固定部品４０には、孔部５０が設けられ、その周縁に上方を向いた係止面５１が設けられている。装着部１６における固定部品４０との対向面１９ａには、固定部品４０側に突出するとともに上記押し込み規制状態で係止面５１に対して係止される規制部２３が設けられている。【選択図】図４
2008034123.tif 000002
【特許請求の範囲】
【請求項１】
回路基板に対して取り付けられるものであって、
前記回路基板に対して電気的に接続される端子金具を備えるコネクタハウジングと、
前記回路基板に対して半田付けにより固定される半田付け部を備えるとともに、前記コネクタハウジングに設けられた装着部に対して前記回路基板側とは反対側から押し込まれて装着され、所定深さに達したところで、前記装着部に設けられた受け部に突き当てられることでそれ以上の押し込みが規制される固定部品と、
この固定部品に設けられ、前記回路基板側とは反対側を向いた係止面と、
前記装着部における前記固定部品との対向面から固定部品側へ突出して設けられるとともに、前記受け部により前記固定部品の押し込みが規制された状態で、前記係止面に対して係止される規制部とを備える基板用コネクタ。
【請求項２】
前記固定部品における前記規制部との対向面には、前記規制部が進入可能とされる孔部が設けられており、この孔部の孔縁のうち前記回路基板側とは反対側を向いた部分が前記係止面とされている請求項１記載の基板用コネクタ。
【請求項３】
前記孔部の孔縁のうち、前記係止面をなす部分と隣り合う両側縁部が前記規制部に当接されるようになっている請求項２記載の基板用コネクタ。
【請求項４】
前記固定部品のうち前記回路基板側とは反対側の外端面が前記係止面とされている請求項１記載の基板用コネクタ。
【請求項５】
前記規制部は、前記回路基板側に行くに連れて前記対向面からの突出代が漸増する形態とされている請求項１ないし請求項４のいずれかに記載の基板用コネクタ。
【請求項６】
前記規制部は、前記回路基板側とは反対側に行くに連れて幅寸法が漸減する形態とされている請求項１ないし請求項５のいずれかに記載の基板用コネクタ。
【請求項７】
前記規制部は、前記固定部品の押し込み方向に沿った線を対称軸とした対称形状とされている請求項１ないし請求項６のいずれかに記載の基板用コネクタ。
【請求項８】
前記規制部は、前記対向面からの突出端が前記固定部品の押し込み方向に沿って延びる線状をなしている請求項１ないし請求項７のいずれかに記載の基板用コネクタ。
【請求項９】
前記規制部は、幅方向に沿って切断したときの断面形状が、楕円状とされている請求項８記載の基板用コネクタ。
【発明の詳細な説明】
【技術分野】
【０００１】
本発明は、基板用コネクタに関する。
【背景技術】
【０００２】
従来、回路基板に対する基板用コネクタの取付構造としては、基板用コネクタをなすコネクタハウジング（以下、単にハウジングという）の側面から一体の基板固定部を突出させ、この基板固定部にねじを締め付ける構造のものが知られている。
【０００３】
上記取付構造では、基板固定部が大きくなり勝ちであったり、ねじの締め付け作業が必要で作業性が芳しくないなどの問題があった。そこで、近年、ハウジングの側部に金属製の固定金具を装着し、その固定金具を回路基板に対して半田付けするようにしたものが開発されており、その一例として下記特許文献１に記載されたものがある。
【０００４】
このものは、ハウジングの側部に形成された金具装着溝に固定金具が差し込まれるとともに、固定金具のうち回路基板側の端部から側方へ突出した半田付け部を半田付けすることで、ハウジングが固定金具を介して回路基板に固定されるようになっている。このようにすれば、基板用コネクタの実装面積を小さくできるとともに、従来のようなねじ締め作業が不要となって作業性の改善を図ることができる。
【０００５】
この固定金具は、金具装着溝内に差し込まれる際に治具によって押し込まれるのであるが、このとき治具が半田付け部に干渉して半田付け部が変形などするのを防ぐため、固定金具のうち半田付け部とは反対側の端部が治具により押し込まれる部分となっているとともに、その装着方向は回路基板とは反対側からとなっている。この固定金具における側縁には、圧入片が突設され、この圧入片が金具装着溝の溝縁に対して食い込むことで、ハウジングに対して固定金具が圧入保持されるようになっている。
【特許文献１】特開２００５−１６６４９１公報
【発明の開示】
【発明が解決しようとする課題】
【０００６】
ところで、ハウジングに対する固定金具の取付位置に関しては、半田付け部がハウジングの底面よりも回路基板側に突出するような位置に設定するのが望ましい。このような設定とすれば、半田付け部を回路基板に対して確実に当接させて半田付けすることができるからである。
【０００７】
しかし、ハウジングと固定金具との保持構造は、金具装着溝の溝縁に圧入片を食い込ませる構造であるため、回路基板に取り付けられた状態でハウジングを回路基板側へ押し込むような力が作用したとき、金具装着溝の溝縁から圧入片が抜けてしまい、ハウジングが固定金具に対して上記押し込み方向へ相対変位するおそれがある。
【０００８】
そうなると、固定金具に対してハウジングが上下に動きうる状態となるため、振動が加わったときハウジングが固定金具に対して上下にがたついてしまい、端子金具や固定金具の半田付け部分の半田にクラックが入ったり剥離が生じるなどの問題が生じる可能性があった。
【０００９】
本発明は上記のような事情に基づいて完成されたものであって、回路基板に対する接続部分に悪影響が及ぶのを防ぐことを目的とする。
【課題を解決するための手段】
【００１０】
本発明は、回路基板に対して取り付けられるものであって、前記回路基板に対して電気的に接続される端子金具を備えるコネクタハウジングと、前記回路基板に対して半田付けにより固定される半田付け部を備えるとともに、前記コネクタハウジングに設けられた装着部に対して前記回路基板側とは反対側から押し込まれて装着され、所定深さに達したところで、前記装着部に設けられた受け部に突き当てられることでそれ以上の押し込みが規制される固定部品と、この固定部品に設けられ、前記回路基板側とは反対側を向いた係止面と、前記装着部における前記固定部品との対向面から固定部品側へ突出して設けられるとともに、前記受け部により前記固定部品の押し込みが規制された状態で、前記係止面に対して係止される規制部とを備える。
【００１１】
このようにすると、コネクタハウジングの装着部に対して回路基板側とは反対側から固定部品を押し込んで所定深さに達すると、受け部に突き当てられることで、それ以上の押し込みが規制される。固定部品の半田付け部を回路基板に半田付けすることで、固定部品を介してコネクタハウジングが回路基板に固定される。ここで、コネクタハウジングを回路基板側へ接近させるような押し込み力が作用した場合でも、固定部品のうち回路基板側とは反対側を向いた係止面に対して規制部が係止されているので、コネクタハウジングが固定部品に対して回路基板側へ相対変位するのを規制することができる。これにより、振動が作用したときでもコネクタハウジングが回路基板に接離する方向にがたつくような事態が防がれる。
【００１２】
本発明の実施態様として、次の構成が好ましい。
（１）前記固定部品における前記規制部との対向面には、前記規制部が進入可能とされる孔部が設けられており、この孔部の孔縁のうち前記回路基板側とは反対側を向いた部分が前記係止面とされている構成とする。このようにすれば、規制部及び孔部は、固定部品のうち回路基板側とは反対側の端面よりも回路基板寄りの位置に配置される。ここで、固定部品を装着部に装着する際には、固定部品が規制部に干渉することで、抵抗が発生するのであるが、上記配置によれば、装着作業の初期段階から上記抵抗が生じることがないので、固定部品の装着作業性が良好なものとなる。
【００１３】
（２）前記孔部の孔縁のうち、前記係止面をなす部分と隣り合う両側縁部が前記規制部に当接される構成とする。これにより、コネクタハウジングのがたつきをさらに有効に規制することができる。
【００１４】
（３）前記固定部品のうち前記回路基板側とは反対側の外端面が前記係止面とされている構成とする。これにより、係止面を設けるにあたって固定部品を特別な形状に加工する必要がないから、低コストで対応することができる。
【００１５】
（４）前記規制部は、前記回路基板側に行くに連れて前記対向面からの突出代が漸増する形態とされている構成とする。これにより、装着にあたって固定部品が規制部の外面に乗り上げる際に生じる抵抗が徐々に増加するので、固定部品の装着作業性が良好なものとなる。
【００１６】
（５）前記規制部は、前記回路基板側とは反対側に行くに連れて幅寸法が漸減する形態とされている構成とする。これにより、装着にあたって固定部品が規制部の外面に乗り上げる初期段階で発生する抵抗が低減されるので、固定部品の装着作業性が良好なものとなる。
【００１７】
（６）前記規制部は、前記固定部品の押し込み方向に沿った線を対称軸とした対称形状とされている構成とする。これにより、仮に規制部を非対称形状とした場合と比較すると、固定部品を装着部に装着する際に生じる抵抗が幅方向についてほぼ均等に作用するので、装着作業がし易くなる。
【００１８】
（７）前記規制部は、前記対向面からの突出端が前記固定部品の押し込み方向に沿って延びる線状をなしている構成とする。これにより、仮に対向面からの突出端を面状にした場合と比較すると、固定部品の装着時に規制部が摺接される部分の面積が小さくなるので、摺接に伴って発生する抵抗が小さくなり、もって固定部品の装着作業性を良好なものとすることができる。
【００１９】
（８）前記規制部は、幅方向に沿って切断したときの断面形状が、楕円状とされている構成とする。これにより、対向面からの規制部の突出代を抑制しつつ、係止面に対する係止面積を大きく確保することができるので、固定部品の装着作業性を良好に保ちつつ、コネクタハウジングに対する保持力を向上させることができる。
【発明の効果】
【００２０】
本発明によれば、回路基板に対する接続部分に悪影響が及ぶのを防ぐことができる。
【発明を実施するための最良の形態】
【００２１】
＜実施形態１＞
本発明の実施形態１を図１ないし図８によって説明する。この実施形態１では、回路基板Ｋに対して基板用コネクタＣを、いわゆるリフロー半田付けによって取り付けるようにしたものを例示する。なお以下では、上下方向については図３や図５を基準とし、図３の右側（相手コネクタとの嵌合面側）を前側、左側を後側として説明するものとする。
【００２２】
回路基板Ｋは、耐熱性に優れた合成樹脂製とされ、その表面には、所定パターンの導電路（図示せず）が配索形成されている。この回路基板Ｋにおける所定位置には、続いて説明する基板用コネクタＣが取り付けられるようになっている。
【００２３】
基板用コネクタＣは、大まかには、図１ないし図３に示すように、回路基板Ｋに対して電気的に接続可能とされる複数の端子金具３０と、各端子金具３０が装着されるコネクタハウジング１０（以下、単にハウジング１０という）と、ハウジング１０に装着される一対の固定部品４０とから構成される。この基板用コネクタＣには、例えば電線の端末に設けられた相手コネクタ（図示せず）が前方から嵌合接続可能とされ、その嵌合・離脱方向は前後方向（回路基板Ｋの板面）に沿った向きに設定されている。
【００２４】
ハウジング１０は、絶縁性を有するとともに耐熱性に優れた合成樹脂材料（例えばＬＣＰ（液晶ポリマー）やＰＰＳ（ポリフェニレンサルファイド））からなり、全体として横長な形状とされる。このハウジング１０は、端子金具３０を保持可能な端子保持部１１と、端子保持部１１の周縁から前方へ突出するフード部１２と、端子保持部１１の側縁から後方へ突出する端子保護部１３とから構成される。
【００２５】
端子保持部１１は、横長で回路基板Ｋに対してほぼ垂直に立てられる壁状をなしている。端子保持部１１には、後方から端子金具３０を挿入可能な端子挿入孔１４が複数設けられている。各端子挿入孔１４は、幅方向に沿って並列した状態で上下２段に配されており、詳しくは上段側が３個ずつ図１に示す左右に分けて配置されるのに対し、下段側については９個がほぼ等ピッチで並べられている。
【００２６】
フード部１２は、前方へ開口する略筒状（詳しくは略角筒状）に形成されており、その内部には前方から相手コネクタをなす相手ハウジングが嵌合可能とされている。フード部１２の上部における幅方向略中央位置には、相手ハウジングに設けられたロック部位に係止されることで、両ハウジングを嵌合状態に保持可能なハウジングロック部１５が設けられている。そして、フード部１２の両側部には、それぞれ固定部品４０を上方（回路基板Ｋ側とは反対側）から装着可能な装着部１６が一対設けられている。なお装着部１６の構造については、固定部品４０と共に後に詳しく説明するものとする。
【００２７】
端子金具３０は、導電性を有する金属製とされ、端子保持部１１から後方へ突出した部分を所定位置から下方へ向けて屈曲させるとともに、その下端部を再度後方へ向けて屈曲させた形状（クランク状）となっている。端子金具３０のうち、端子保持部１１の前面（相手ハウジングとの嵌合面）から前方へ突出するとともにフード部１２により取り囲まれる部分が、相手ハウジングに備えられた相手端子と導通接続可能なコネクタ側接続部３１となっている。
【００２８】
一方、端子金具３０のうち、回路基板Ｋの板面に沿って延びる形態の後端部が、回路基板Ｋ上の導電路に対して半田により導通接続状態に固着される基板側接続部３２とされている。各端子金具３０をハウジング１０に装着した状態では、上段の端子金具３０と下段の端子金具３０は、幅方向について互いにずれた配置とされるとともに、上下各段の端子金具３０における基板側接続部３２が前後方向についてほぼ同じ位置に配される。また、各端子金具３０のうち端子保持部１１から後方へ突出した部分（基板側接続部３２を含む）については、ハウジング１０の端子保護部１３によって側方から覆われてその保護が図られている。
【００２９】
続いて、固定部品４０及び装着部１６について詳細に説明する。固定部品４０は、ハウジング１０とは別体の金属板からなり、金属母材を所定形状に打ち抜くとともに曲げ加工などを施すことで成形されている。固定部品４０は、上下方向及び前後方向（回路基板Ｋの板面と直交する方向）に沿う略平板状をなす本体部４１と、本体部４１の下端から幅方向（回路基板Ｋの板面と平行な方向）に沿って側方へ突出する半田付け部４２とから構成され、全体として正面から見て略Ｌ字型をなしている。固定部品４０の高さは、ハウジング１０の高さよりも低くなる設定とされる。
【００３０】
一方、装着部１６は、フード部１２の側部を上下方向に沿って貫通する形態とされ、本体部４１がその板面方向に沿って挿入可能な本体部収容部１７と、半田付け部４２がその板面方向と直交する方向に沿って挿通可能な半田付け部挿通部１８とから構成される。本体部収容部１７は、本体部４１の板厚とほぼ同じ厚みの溝状に形成されている。半田付け部挿通部１８は、フード部１２の側部のうち本体部収容部１７よりも外側部分を側方へ開口させる形態とされる。なお、フード部１２の側部のうち本体部収容部１７の内側（装着される固定部品４０と相手ハウジングの嵌合空間との間）の壁部１９は、装着部１６によって本体部４１と並行して延びる薄肉状に形成されている。
【００３１】
固定部品４０における本体部４１は、図４に示すように、上部４３（幅広板部）、中部４４（中間幅板部）、下部４５（幅狭板部）の順で上側から幅が狭くなるよう３段階の幅寸法（前後方向についての長さ寸法）を有する段付き状に形成され、半田付け部４２は、連結される下部４５とほぼ同じ幅寸法に形成されている。これに対し、装着部１６における本体部収容部１７は、本体部４１の上部４３とほぼ同じかそれよりも大きい幅寸法の幅広部２０と、本体部４１の中部４４とほぼ同じかそれよりも大きい幅寸法の幅狭部２１とを上下に繋げた構成とされている。また、装着部１６における半田付け部挿通部１８は、本体部４１の下部４５及び半田付け部４２とほぼ同じ寸法かそれよりも大きく且つ幅狭部２１よりは小さい幅寸法に形成されている。従って、壁部１９の外側には、半田付け部挿通部１８の縁部をなす前後一対の外壁部２２が所定の間隔（本体部４１の厚み寸法程度の間隔）を空けて対向して配され、壁部１９と外壁部２２との間に本体部４１が挟持されるようになっている。
【００３２】
半田付け部４２は、図５に示すように、その側方への突出代について外端がハウジング１０の外側面（外壁部２２の外面）とほぼ同じ位置になる設定とされる。半田付け部４２における幅方向略中央には、図４に示すように、半田付け部４２や本体部４１の一部（下部４５の全域を含む）を前後に分断するスリット４６が形成されており、このスリット４６は、本体部４１の中部４４の途中にまで達する深さとされる。スリット４６により半田付け部４２が前後に分割されることで、仮にハウジング１０に熱膨張が生じ、半田付け部４２の前部または後部のいずれか一方が半田とのつきまわりが悪化したとしても、他方側にその影響が及ぶのが防がれるようになっている。またスリット４６の上端部は、円弧状に形成されている。
【００３３】
半田付け部４２のうちスリット４６を挟んだ前部及び後部のうち、それぞれの中央外端部には、図２及び図３に示すように、上下方向及び外側方へ開口する凹部４７が形成されている。さらには、半田付け部４２の前部及び後部のうち、上記凹部４７を挟んだ前後位置には、上下方向に開口する貫通孔４８が一対ずつ形成されている。これら凹部４７及び貫通孔４８には、半田付け時に半田が流入されるようになっており、これにより固定部品４０を回路基板Ｋに対して強固な保持力でもって固定することができる。
【００３４】
上記のような構成の固定部品４０が装着部１６に対して上方から押し込まれて所定深さ（正規深さ）に達すると、図４に示すように、本体部４１の上部４３における下端側の段部４３ａ（突き当て部）が本体部収容部１７の幅広部２０の下端側の段部２０ａ（受け部）に対して突き当たることで、装着された固定部品４０のそれ以上の押し込みが規制されるようになっている。言い換えると、両段部２０ａ，４３ａが突き当たり合うことで、ハウジング１０が固定部品４０に対して相対的に上方（回路基板Ｋ側とは反対側）へ相対変位するのが規制される。この装着状態では、固定部品４０の半田付け部４２がハウジング１０の下面１０ａ（回路基板Ｋとの対向面）から下方（回路基板Ｋ側）へ僅かに突出する設定とされる。また、装着状態では固定部品４０は、その上端面がハウジング１０の上端面よりも低くなる深さまで押し込まれており、言い換えると装着部１６の上部には、固定部品４０が配されない余剰空間が確保されている。なお、ハウジング１０に装着される各端子金具３０の基板側接続部３２についても同様にハウジング１０の下面１０ａから下方へ僅かに突出する設定とされる。
【００３５】
また、上記装着状態では、本体部４１の下部４５と本体部収容部１７の幅狭部２１との間には、前後に所定の隙間Ｓ１が空けられ、これが側方外部へ開口している。また、本体部４１の下部４５のうち、中部４４との境界部分付近（上端部）には、図５に示すように、外側へ張り出す形態の屈曲部４９が形成され、下部４５のうちこの屈曲部４９よりも下側部分と、壁部１９のうち装着される本体部４１との対向面１９ａ（外面）との間には、所定の隙間Ｓ２が空けられる。上記両隙間Ｓ１，Ｓ２は、互いに連通されており、ここが溶融された半田が流入するのを許容する半田流入空間となっている。なお、半田付け部挿通部１８の縁部である外壁部２２の下端部には、図３に示すように、半田流入空間に連通するテーパ状の切り欠き１６ａが形成され、側方から半田が流入し易くなっている。また、この切り欠き１６ａは、装着部１６における周縁下端部（周縁のうち回路基板Ｋと対向する部分）のほぼ全周にわたって形成されている。
【００３６】
さて、固定部品４０の本体部４１には、図４に示すように、孔部５０が本体部４１の厚み方向に貫通して形成されているのに対し、装着部１６のうち固定部品４０の本体部４１と対向する壁部１９の対向面１９ａには、上記孔部５０に対して進入可能な規制部２３が外方（固定部品４０側）へ突出して設けられている。そして、この規制部２３が孔部５０の孔縁に設けられた係止面５１に係止することで、ハウジング１０が固定部品４０に対して相対的に下方（回路基板Ｋ側）へ相対変位するのが規制可能とされる。
【００３７】
詳しくは、孔部５０は、本体部４１（固定部品４０の規制部２３との対向面）を内方及び外方へ開口させる窓状に形成され、その孔縁が固定部品４０の外周縁とは非連続で（独立し）環状をなしている。孔部５０は、側方から見て上下に細長い四角形状に形成され、その幅寸法及び高さ寸法がそれぞれ一定とされる。孔部５０は、本体部４１の中部４４のうち幅方向についてスリット４６とほぼ整合する位置（幅方向略中央位置）で且つ高さ方向略中央位置に配されている。孔部５０の幅寸法は、スリット４６の幅寸法とほぼ同じに設定されている。そして、この孔部５０の孔縁のうち、回路基板Ｋとは反対側の上方を向いた下縁部が、次述する規制部２３が係止可能とされる係止面５１となっている。係止面５１は、水平方向（回路基板Ｋの板面方向）に沿ってほぼ真っ直ぐな面とされている。
【００３８】
規制部２３は、その幅寸法が上方（回路基板Ｋとは反対側）へ行くに連れて次第に減少（漸減）する形態とされている。規制部２３は、側方から見て釣り鐘型（弾丸型）をなしており、その幅方向の両側端部は、上側ほど曲率が次第に大きくなり、下側ほど曲率が次第に小さくなるような曲線形状となっている。言い換えると、規制部２３は、幅寸法の変化率が上側ほど大きく、下側ほど小さくなっている。規制部２３は、その上端部２３ａを通る上下方向（固定部品４０の押し込み方向）に沿った線を対称軸とした対称形状とされている。
【００３９】
規制部２３は、下端部（被係止面２４を有する部分）の幅寸法が最大となっており、その大きさは、孔部５０の幅寸法とほぼ同じ程度で且つスリット４６の幅寸法ともほぼ同じ程度とされる。従って、固定部品４０を装着する過程では、規制部２３がスリット４６を挿通可能とされ、装着状態では、規制部２３の下端部の両側端部２３ｂが、孔部５０のうち係止面５１と隣り合う両側縁部５０ａに対して当接可能とされる。
【００４０】
規制部２３のうち回路基板Ｋ側を向いた端面である下端面が、既述した係止面５１が係止される被係止面２４となっている。被係止面２４は、係止面５１に沿ってほぼ真っ直ぐな面とされる。規制部２３の上端部２３ａ（回路基板Ｋ側とは反対側の端部）は、規制部２３のうちで幅寸法が最も小さくなっていて上方に向けて尖った形状となっており、この上端部２３ａには固定部品４０を装着する際の初期段階で固定部品４０が点接触可能とされる。
【００４１】
規制部２３における壁部１９の対向面１９ａからの突出代（突出寸法）については、図５に示すように、上端部２３ａから下方（回路基板Ｋ側）に行くに連れて次第に増加（漸増）する設定とされている。規制部２３は、上下方向に沿った断面形状が、半割した釣り鐘型（半割した弾丸型）をなしている。規制部２３の外側面は、上側ほど曲率が次第に大きくなり、下側ほど曲率が次第に小さくなるような曲線形状となっている。言い換えると、規制部２３は、対向面１９ａからの突出代の変化率が上側ほど大きく、下側ほど小さくなっている。従って、規制部２３のうち上端部２３ａの突出代が最も小さく、下端部（被係止面２４を有する部分）の突出代が最も大きくなっている。規制部２３のうち下端部の突出代は、本体部４１の板厚寸法（本体部収容部１７の溝幅）よりも少し小さい程度とされている。
【００４２】
規制部２３における幅方向に沿った断面形状は、図６に示すように、短軸方向を規制部２３の突出方向とし、長軸方向を幅方向とした楕円を半割した形状とされている。つまり、規制部２３における対向面１９ａからの突出代は、両端部から幅方向中央側に接近するに連れて漸増し、その幅方向中央部が突出端２３ｃとなっている。そして、この規制部２３の突出端２３ｃは、上下方向（固定部品４０の押し込み方向）に沿って真っ直ぐに延びる線状をなすとともに、対称軸と一致している。固定部品４０を装着する際には、この線状をなす突出端２３ｃ（上端部２３ａを含む）が固定部品４０に対して摺接されるようになっている。
【００４３】
このように規制部２３は、幅方向に沿った断面形状が楕円形状とされるとともに、上方に行くに連れて次第にその長軸寸法及び短軸寸法が共に減少するような形態とされていると言える。また、規制部２３の最大高さ寸法及び最大幅寸法は、孔部５０の高さ寸法及び幅寸法とそれぞれほぼ同じかそれによりも小さくなるよう設定されている。
【００４４】
本実施形態は以上のような構造であり、続いてその作用を説明する。まず、基板用コネクタＣの組み付け手順について説明する。ハウジング１０の各端子挿入孔１４に対して後方から各端子金具３０を挿入する。その一方、ハウジング１０の両装着部１６に対してそれぞれ固定部品４０を装着する作業を行う。
【００４５】
図７及び図８に示すように、半田付け部４２を下側に向けた姿勢とした固定部品４０のうち、本体部４１の上端面を工具や治具（図示せず）によって下方へ押し込むと、本体部４１が装着部１６の本体部収容部１７内に挿入されるとともに、半田付け部４２が半田付け部挿通部１８に挿通される。固定部品４０が所定の深さまで押し込まれると、スリット４６内に規制部２３が進入する。
【００４６】
さらに押し込みが進行すると、規制部２３がスリット４６の上端縁部に乗り上げる。この初期段階では、規制部２３のうち尖った形状の上端部２３ａがスリット４６の上端縁部に対して点接触する。その状態から固定部品４０を押し込むのに伴い、規制部２３の外側面のうち幅方向中央の線状部分が、本体部４１のうちスリット４６と孔部５０との間の部分に摺接される。このとき、本体部４１と壁部１９とのいずれか一方、または双方が一時的に弾性変形することで、乗り上げが許容されている。
【００４７】
そして、固定部品４０が装着部１６に対して正規深さまで押し込まれると、図４及び図５に示すように、本体部４１のうち上部４３の段部４３ａが本体部収容部１７のうち幅広部２０の段部２０ａに対して突き当たることで、それ以上の押し込みが規制されるとともに、本体部４１または壁部１９の弾性変形していた部分が復元して規制部２３が孔部５０内に進入される。このとき、規制部２３の被係止面２４の下側に孔部５０の係止面５１が対向して配されるとともに、両面が当接（係止）されることで、ハウジング１０が固定部品４０に対して下方へ相対変位するのが規制される。これにより、ハウジング１０が固定部品４０に対して上下方向について相対変位するのが規制される。また、このとき規制部２３の下端部の両側端部２３ｂが、図６に示すように、孔部５０の両側縁部５０ａに当接されることで、ハウジング１０が固定部品４０に対して前後方向について相対変位するのが規制される。なお、規制部２３は、本体部４１よりも内側に引っ込んでいて、その外側に突出することがない。
【００４８】
上記のようにして組み付けた基板用コネクタＣを回路基板Ｋに取り付ける手順について説明する。予め回路基板Ｋの上面（基板用コネクタＣとの対向面）に所定のパターンの半田を印刷しておき、その回路基板Ｋにおける取付予定位置に基板用コネクタＣを搭載する。ここで、基板用コネクタＣにおいて固定部品４０の半田付け部４２や端子金具３０の基板側接続部３２がハウジング１０の下面１０ａから僅かに下方に突出しているので、半田付け部４２や基板側接続部３２を回路基板Ｋに対して確実に当接される。これにより、次述する半田付けが確実に行われるようになっている。
【００４９】
続いて、基板用コネクタＣを搭載した回路基板Ｋを図示しないリフロー炉内に搬入する。リフロー炉内のうち高温環境とされた加熱領域を通過する過程で、回路基板Ｋに印刷した半田が溶融し、リフロー炉内の低温環境とされた冷却領域を通過する過程で、溶融した半田が固化することで、半田付け部４２や基板側接続部３２が回路基板Ｋに対して固定（固着）される。これにより、基板用コネクタＣが回路基板Ｋに対して取付状態に保持される。また、基板側接続部３２は、半田により回路基板Ｋの導電路に対して電気的に接続される。その後、基板用コネクタＣに対して相手コネクタを嵌合接続する作業を行う。
【００５０】
ところで、基板用コネクタＣを回路基板Ｋに取り付けた状態では、図４に示すように、固定部品４０の半田付け部４２や端子金具３０の基板側接続部３２がハウジング１０の下面１０ａから下方へ突出しているので、その分だけ回路基板Ｋとハウジング１０との間には隙間Ｓ３があけられる。このため、取付状態でハウジング１０に対して下方へ押し込むような力が作用したときには、ハウジング１０が固定部品４０や回路基板Ｋに対して沈み込み（下方へ相対変位し）、上下にがたつきが生じることが懸念される。
【００５１】
ところが、本実施形態では、固定部品４０のうち上方を向いた係止面５１が規制部２３のうち下方を向いた被係止面２４に係止しているので、上記のような押し込み力が作用した場合でも、ハウジング１０が固定部品４０や回路基板Ｋに対して下方へ相対変位する事態が防がれる。従って、取付状態で振動が作用したとき、ハウジング１０が上下方向、つまり回路基板Ｋに対して接離する方向にがたつくような事態を防ぐことができる。これにより、半田付け部４２や基板側接続部３２に付着した半田にクラックが入ったり、剥離が生じるのを防止することができる。
【００５２】
以上説明したように本実施形態によれば、固定部品４０に設けられ、回路基板Ｋとは反対側を向いた係止面５１に対し、装着部１６における固定部品４０との対向面１９ａから固定部品４０側へ突出して設けられた規制部２３が、段部２０ａにより固定部品４０の押し込みが規制された状態で係止されるようになっているから、ハウジング１０が固定部品４０に対して、回路基板Ｋに接離する方向について相対変位するのが規制される。これにより、取付状態で振動が作用したときでも、ハウジング１０が回路基板Ｋに接離する方向にがたつくような事態が防がれ、もって回路基板Ｋに対する接続部分に悪影響が及ぶのが防がれる。
【００５３】
また、固定部品４０における規制部２３との対向面１９ａに規制部２３が進入可能な孔部５０を設け、その孔部５０の孔縁のうち回路基板Ｋ側とは反対側を向いた部分を係止面５１としているので、規制部２３及び孔部５０は、固定部品４０のうち回路基板Ｋ側とは反対側の上端面よりも回路基板Ｋ寄りの位置に配置されることになる。ここで、固定部品４０を装着部１６に装着する際には、固定部品４０が規制部２３に干渉することで、抵抗が発生するのであるが、上記配置によれば、装着作業の途中の段階で抵抗が生じ、初期段階では抵抗が生じることがないので、固定部品４０の装着作業性が良好なものとなる。
【００５４】
また、孔部５０の孔縁のうち、係止面５１をなす部分と隣り合う両側縁部５０ａが規制部２３に当接されるようになっているから、ハウジング１０のがたつきをさらに有効に規制することができる。
【００５５】
また、規制部２３は、回路基板Ｋ側に行くに連れて対向面１９ａからの突出代が漸増する形態とされているから、固定部品４０の装着にあたって固定部品４０が規制部２３の外面に乗り上げる際に生じる抵抗が徐々に増加することになり、固定部品４０の装着作業性が良好なものとなる。
【００５６】
また、規制部２３は、回路基板Ｋ側とは反対側に行くに連れて幅寸法が漸減する形態とされているから、固定部品４０の装着にあたって固定部品４０が規制部２３の外面に乗り上げる初期段階で発生する抵抗が低減されることになり、固定部品４０の装着作業性が良好なものとなる。
【００５７】
また、規制部２３は、固定部品４０の押し込み方向に沿った線を対称軸とした対称形状とされているから、仮に規制部２３を非対称形状とした場合と比較すると、固定部品４０を装着部１６に装着する際に生じる抵抗が幅方向についてほぼ均等に作用するので、装着作業がし易くなる。
【００５８】
また、規制部２３は、対向面１９ａからの突出端２３ｃが固定部品４０の押し込み方向に沿って延びる線状をなす形態とされているから、仮に対向面１９ａからの突出端２３ｃを面状にした場合と比較すると、固定部品４０の装着時に規制部２３が摺接される部分の面積が小さくなるので、摺接に伴って発生する抵抗が小さくなり、もって固定部品４０の装着作業性を良好なものとすることができる。
【００５９】
また、規制部２３は、幅方向に沿って切断したときの断面形状が楕円状とされているから、仮に幅方向についての断面形状を真円状とした場合と比較すると、対向面１９ａからの突出代を同一としたときの断面積は、楕円状とした方が大きくなり、このことは、係止面５１に対する係止面積が増加することを意味する。従って、固定部品４０を押し込む際に生じる抵抗については極力低く抑えつつ、固定部品４０の保持力については高くすることができる。
【００６０】
＜変形例＞
上記した実施形態１の変形例を図９または図１０によって説明する。この変形例では、固定部品４０Ａの形状を変更したものを示す。なおこの変形例では、上記した実施形態１と同様の構造、作用及び効果について重複する説明は省略する。
【００６１】
固定部品４０Ａの本体部４１Ａには、図９及び図１０に示すように、孔部５０Ａを三方から囲む略チャンネル型のスリット５２が形成されることで、片持ち状の弾性片５３が形成されている。弾性片５３は、上端部（回路基板Ｋとは反対側の端部）が本体部４１Ａに連結された基端部５３ａとされるとともに、下端部（回路基板Ｋ側の端部）が自由端部５３ｂとされ、基端部５３ａを支点として外側（規制部２３から離間する方向）へ開くようにして弾性変形可能とされている。孔部５０Ａは、弾性片５３において基端部５３ａとの距離より、自由端部５３ｂとの距離の方が近い位置（自由端寄りの位置）に配置されている。
【００６２】
上記構成の固定部品４０Ａをハウジング１０の装着部１６に装着する過程では、弾性片５３の自由端部５３ｂが規制部２３に乗り上げるとともに、弾性片５３が基端部５３ａを支点として外側に開くよう弾性変形される。そして、固定部品４０Ａが正規深さまで押し込まれると、固定部品４０Ａの段部４３ａＡが装着部１６の段部２０ａに突き当たることで、それ以上の押し込みが規制されるとともに、弾性片５３が復元して規制部２３が孔部５０Ａ内に進入され孔部５０Ａの係止面５１Ａに対して規制部２３の被係止面２４が係止される。これにより、固定部品４０Ａがハウジング１０に対して上下方向についてがたつくことなく保持される。
【００６３】
以上のように装着過程では、装着過程で固定部品４０Ａに形成した弾性片５３が規制部２３に乗り上げて弾性変形されるようになっているので、実施形態１と比較すると装着に伴って生じる抵抗を低減することができ、もって固定部品４０Ａの装着作業性を向上させることができる。
【００６４】
＜実施形態２＞
本発明の実施形態２を図１１または図１２によって説明する。この実施形態２では、規制部２５の配設位置を変更するとともに固定部品４０の形状を変更したものを示す。なおこの実施形態２では、上記した実施形態１と同様の構造、作用及び効果について重複する説明は省略する。
【００６５】
規制部２５は、図１１及び図１２に示すように、壁部１９Ｂにおける本体部４１Ｂとの対向面１９ａＢのうち、上端位置付近に設置されている。詳しくは、規制部２５は、その被係止面２６が装着部１６Ｂに装着した固定部品４０Ｂの上端面とほぼ同じ高さ位置となるような配置とされている。そして、固定部品４０Ｂの外周端面のうち上端面（回路基板Ｋ側とは反対側を向いた外端面）が係止面５４とされ、これに規制部２５の被係止面２６が係止可能とされている。規制部２５は、互いに前後方向（固定部品４０Ｂの係止面５４に沿った方向）に離間した３箇所に分散して設置されることで、固定部品４０Ｂに対する係止力を前後方向についてバランスよく作用させることができ、これによりハウジング１０Ｂが固定部品４０Ｂに対して傾くような事態が確実に防がれるようになっている。規制部２５は、壁部１９Ｂの対向面１９ａＢのうち前後方向の略中央位置に１つ、前後方向の両端付近に２つ設置され、前後方向について対称となる配置とされる。
【００６６】
以上説明したように本実施形態によれば、固定部品４０Ｂのうち回路基板Ｋ側とは反対側の外端面である上端面が係止面５４とされているから、実施形態１のように固定部品４０に孔部５０を形成した場合に固定部品４０を製造する際に孔部５０の加工が必要なのと比較すると、固定部品４０Ｂを特別な形状に加工する必要ないから、低コストで対応することができる。
【００６７】
＜他の実施形態＞
本発明は上記記述及び図面によって説明した実施形態に限定されるものではなく、例えば次のような実施形態も本発明の技術的範囲に含まれる。
（１）規制部の形状については、適宜に変更することができる。例えば、規制部６０を、図１３に示すように、半割した円錐状に形成してもよい。つまり、規制部６０における幅寸法及び突出代の上下方向についての変化率が一定で、その外側面がテーパ状とされるとともに、幅方向に沿った断面形状が真円を半割した形状とされるものも本発明に含まれる。
【００６８】
（２）また規制部６１を、図１４に示すように、三角錐状に形成してもよい。つまり、規制部６１における幅寸法及び突出代の上下方向についての変化率が一定で、その外側面がテーパ状とされるとともに、幅方向に沿った断面形状が三角形状とされるものも本発明に含まれる。
【００６９】
（３）また規制部６２を、図１５に示すように、四角錐状に形成してもよい。つまり、規制部６２における幅寸法及び突出代の上下方向についての変化率が一定で、その外側面がテーパ状とされるとともに、幅方向に沿った断面形状が四角形状とされるものも本発明に含まれる。またこの場合、規制部６２における突出端６２ａが側方視三角形の面状とされている。
【００７０】
（４）また規制部６３を、図１６に示すように、断面台形の角錐状に形成してもよい。つまり、規制部６３における幅寸法及び突出代の上下方向についての変化率が一定で、その外側面がテーパ状とされるとともに、幅方向に沿った断面形状が突出端６３ａ側ほど幅寸法が減少する台形状とされるものも本発明に含まれる。またこの場合、規制部６３における突出端６３ａが側方視三角形の面状とされている。
【００７１】
（５）また規制部６４を、図１７に示すように、上下方向に沿った断面形状が三角形のブロック状に形成してもよい。つまり、規制部６４における幅寸法が一定とされるとともに、突出代の上下方向についての変化率が一定とされて外側面がテーパ状とされ、幅方向に沿った断面形状が四角形状とされるものも本発明に含まれる。またこの場合、規制部６４における突出端６４ａが側方視四角形の面状とされ、上端部６４ｂが幅方向に沿って真っ直ぐな線状をなす。
【００７２】
（６）上記した各実施形態に記載した、幅方向の断面形状が楕円状の規制部について、幅寸法や突出代の上下方向についての変化率を一定としてもよい。また、規制部の数や配設位置についても適宜に変更可能である。
【００７３】
（７）上記した各実施形態では、規制部が壁部の対向面に設置された場合を示したが、要は固定部品の本体部と対向する面であればよいから、例えば外壁部における本体部との対向面に規制部を設けるようにしてもよい。
【００７４】
（８）上記した実施形態１に記載の規制部（孔部内に進入される規制部）と、実施形態２に記載の規制部（固定部品の外端面に対して係止される規制部）とが混在するようにしたものも本発明に含まれる。
【００７５】
（９）上記した各実施形態では、係止面が回路基板の板面に沿ってほぼ水平な場合を示したが、回路基板の板面に対して傾斜した形態としてもよい。
【００７６】
（１０）上記した実施形態１では、孔部が窓状に形成された場合を示したが、例えば孔部が本体部を上方へ開放するスリット状に形成され、その孔縁が本体部の上端縁部に繋がる形態であってもよい。また、孔部が本体部を板厚方向に貫通する形態以外にも、孔部が本体部の内面を凹ませる形態で形成された場合も本発明に含まれる。
【００７７】
（１１）上記した実施形態１の変形例では、固定部品側に弾性片を設けた場合を示したが、ハウジングのうち規制部を有する壁部に弾性片を設けるようにしてもよい。その場合、弾性片が弾性変形時に相手ハウジングが嵌合される嵌合空間内に退避する設定とすればよい。
（１２）固定部品の形状などについては適宜に変更可能である。
【００７８】
（１３）上記した各実施形態では、端子金具がハウジングとは別体で組み付けられる場合を示したが、端子金具がハウジングを樹脂成形する際にインサートされることで一体化されたものも本発明に含まれる。また、端子金具における基板側接続部が半田付けにより回路基板に固着されるもの以外にも、例えば回路基板に形成したスルーホールに対して圧入されることで、導電路との導通接続と機械的な保持とが図られる、いわゆるプレスフィットタイプの端子金具を用いる場合にも本発明は適用可能である。
【００７９】
（１４）上記した各実施形態では、リフロー半田付けにより基板用コネクタが回路基板に取り付けられる場合を示したが、いわゆるフロー半田付けにより取り付けるようにしたものや、作業者が手作業で半田付けするようにしたものにも本発明は適用可能である。
【図面の簡単な説明】
【００８０】
【図１】本発明の実施形態１に係る基板用コネクタの正面図
【図２】基板用コネクタの底面図
【図３】基板用コネクタ及び回路基板の側面図
【図４】図２のＸ−Ｘ線断面図
【図５】図４のＹ−Ｙ線断面図
【図６】図５のＺ−Ｚ線断面図
【図７】固定部品を装着する前の状態を示す図２のＸ−Ｘ線断面図
【図８】固定部品を装着する前の状態を示す図４のＹ−Ｙ線断面図
【図９】本発明の実施形態１の変形例に係る基板用コネクタ及び回路基板の側断面図
【図１０】基板用コネクタ及び回路基板の縦断面図
【図１１】本発明の実施形態２に係る基板用コネクタ及び回路基板の側断面図
【図１２】基板用コネクタ及び回路基板の縦断面図
【図１３】他の実施形態（１）に係る規制部の拡大斜視図
【図１４】他の実施形態（２）に係る規制部の拡大斜視図
【図１５】他の実施形態（３）に係る規制部の拡大斜視図
【図１６】他の実施形態（４）に係る規制部の拡大斜視図
【図１７】他の実施形態（５）に係る規制部の拡大斜視図
【符号の説明】
【００８１】
１０…ハウジング（コネクタハウジング）
１６，１６Ｂ…装着部
１９ａ，１９ａＢ…対向面
２０ａ…段部（受け部）
２３，２５，６０，６１，６２，６３，６４…規制部
２３ｃ…突出端
３０…端子金具
４０，４０Ａ，４０Ｂ…固定部品
４２…半田付け部
５０，５０Ａ…孔部
５０ａ…側縁部
５１，５１Ａ，５４…係止面
Ｃ…基板用コネクタ
Ｋ…回路基板
【図１】
2008034123.tif 000003
【図２】
2008034123.tif 000004
【図３】
2008034123.tif 000005
【図４】
2008034123.tif 000006
【図５】
2008034123.tif 000007
【図６】
2008034123.tif 000008
【図７】
2008034123.tif 000009
【図８】
2008034123.tif 000010
【図９】
2008034123.tif 000011
【図１０】
2008034123.tif 000012
【図１１】
2008034123.tif 000013
【図１２】
2008034123.tif 000014
【図１３】
2008034123.tif 000015
【図１４】
2008034123.tif 000016
【図１５】
2008034123.tif 000017
【図１６】
2008034123.tif 000018
【図１７】
2008034123.tif 000019